(57)【要約】（ａ）側鎖に重合度２〜１００のポリアルキレングリコール骨格を有する単量体単位（Ｉ）及び側鎖に炭素原子数３〜３０の分岐アルキル基を有する単量体単位（ＩＩ）を含む共重合体、（ｂ）水、及び（ｃ）油性成分を含む液状組成物であって、皮膚上でゲルに変化する、皮膚用粘着性材料。当該皮膚用粘着性材料を皮膚に塗布することで、皮膚上で皮膚表面への密着性及び皮膚に対する接着性に優れたハイドロゲルを形成することができる。【特許請求の範囲】
【請求項１】
側鎖に重合度２〜１００のポリアルキレングリコール骨格を有する単量体単位（Ｉ）及び側鎖に炭素原子数３〜３０の分岐アルキル基を有する単量体単位（ＩＩ）を含む共重合体（Ａ）からなる、ゲル形成用ポリマー。
【請求項２】
単量体単位（Ｉ）が、下記式（１）で表される単量体単位であり、単量体単位（ＩＩ）が、下記式（２）で表される単量体単位である、請求項１記載のポリマー。
【化１】
2016204258.tif 000016
（式中、Ｒ１は水素原子又はメチル基を表し、Ｘ１は、−Ｏ−、−ＣＨ２−Ｏ−、−ＣＯ−、−ＣＯ−Ｏ−、又は−ＣＯ−ＮＲ２−を表す。ここでＲ２は水素原子または炭素原子数１〜４のアルキル基を表す。Ｒ３は水素原子または炭素原子数１〜１８のアルキル基を表し、Ａはアルキレン基を表し、２≦ｎ≦１００である。）
【化２】
2016204258.tif 000017
（式中、Ｒ４は水素原子又はメチル基を表し、Ｘ２は、−Ｏ−、−ＣＨ２−Ｏ−、−ＣＯ−、又は−ＣＯ−Ｏ−を表し、Ｒ５は炭素原子数３〜３０の分岐アルキル基を表す。）
【請求項３】
式（１）中のＡ−Ｏで表されるオキシアルキレン基が、エチレンオキサイド基である、請求項２記載のポリマー。
【請求項４】
式（２）中のＲ５で表される炭素原子数３〜３０の分岐アルキル基が、下記式（４）〜（６）で表される基のいずれかである、請求項２又は３記載のポリマー。
【化３】
2016204258.tif 000018
【請求項５】
共重合体（Ａ）における式（１）で表される単量体単位と式（２）で表される単量体単位の共重合比ａ１（（１）：（２））が５：９５〜９０：１０（モル比）である、請求項２〜４のいずれか１項記載のポリマー。
【請求項６】
共重合体（Ａ）が、側鎖に炭素原子数３〜３０の直鎖アルキル基を有する単量体単位（ＩＩＩ）をさらに含む、請求項１〜４のいずれか１項記載のポリマー。
【請求項７】
単量体単位（ＩＩＩ）が、下記式（３）で表される単量体単位である、請求項６記載のポリマー。
【化４】
2016204258.tif 000019
（式中、Ｒ６は水素原子又はメチル基を表し、Ｘ３は、−Ｏ−、−ＣＨ２−Ｏ−、−ＣＯ−、又は−ＣＯ−Ｏ−を表し、Ｒ７は炭素原子数３〜３０の直鎖アルキル基を表す。）
【請求項８】
共重合体（Ａ）における式（１）で表される単量体単位と式（２）で表される単量体単位と式（３）で表される単量体単位の共重合比ａ２（（１）：（２）：（３））が、５〜６０：１０〜９０：５〜５０（モル比）（但し、（１）と（２）と（３）の数値の合計が１００）である、請求項７記載のポリマー。
【請求項９】
側鎖に重合度２〜１００のポリアルキレングリコール骨格を有する単量体単位（Ｉ）及び側鎖に炭素原子数３〜３０の分岐アルキル基を有する単量体単位（ＩＩ）を含む共重合体（Ａ）と、
側鎖に重合度２〜１００のポリアルキレングリコール骨格を有する単量体単位（Ｉ）及び側鎖に炭素原子数３〜３０の直鎖アルキル基を有する単量体単位（ＩＩＩ）を含む共重合体（Ｂ）とを含む、ゲル形成用ポリマー混合物。
【請求項１０】
単量体単位（Ｉ）が、下記式（１）で表される単量体単位であり、単量体単位（ＩＩ）が、下記式（２）で表される単量体単位であり、単量体単位（ＩＩＩ）が、下記式（３）で表される単量体単位である、請求項９記載のポリマー混合物。
【化５】
2016204258.tif 000020
（式中、Ｒ１は水素原子又はメチル基を表し、Ｘ１は、−Ｏ−、−ＣＨ２−Ｏ−、−ＣＯ−、−ＣＯ−Ｏ−、又は−ＣＯ−ＮＲ２−を表す。ここでＲ２は水素原子または炭素原子数１〜４のアルキル基を表す。Ｒ３は水素原子または炭素原子数１〜１８のアルキル基を表し、Ａはアルキレン基を表し、２≦ｎ≦１００である。）
【化６】
2016204258.tif 000021
（式中、Ｒ４は水素原子又はメチル基を表し、Ｘ２は、−Ｏ−、−ＣＨ２−Ｏ−、−ＣＯ−、又は−ＣＯ−Ｏ−を表し、Ｒ５は炭素原子数３〜３０の分岐アルキル基を表す。）
【化７】
2016204258.tif 000022
（式中、Ｒ６は水素原子又はメチル基を表し、Ｘ３は、−Ｏ−、−ＣＨ２−Ｏ−、−ＣＯ−、又は−ＣＯ−Ｏ−を表し、Ｒ７は炭素原子数３〜３０の直鎖アルキル基を表す。）
【請求項１１】
式（１）中のＡ−Ｏで表されるオキシアルキレン基が、エチレンオキサイド基である、請求項１０記載のポリマー混合物。
【請求項１２】
式（２）中のＲ５で表される炭素原子数３〜３０の分岐アルキル基が、下記式（４）〜（６）で表される基のいずれかである、請求項１０又は１１記載のポリマー混合物。
【化８】
2016204258.tif 000023
【請求項１３】
共重合体（Ａ）における式（１）で表される単量体単位と式（２）で表される単量体単位の共重合比ａ３（（１）：（２））が１：９９〜９０：１０（モル比）であり、共重合体（Ｂ）における式（１）で表される単量体単位と式（３）で表される単量体単位の共重合比ｂ１（（１）：（３））が１：９９〜９０：１０（モル比）である、請求項１０〜１２のいずれか１項記載のポリマー混合物。
【請求項１４】
（ａ）請求項１〜１３のいずれか１項記載のポリマー又はポリマー混合物、
（ｂ）水、及び
（ｃ）油性成分、を含む液状組成物であって、
皮膚上でゲルに変化する、皮膚用粘着性材料。
【請求項１５】
さらに、（ｄ）有機溶剤を含有する、請求項１４に記載の皮膚用粘着性材料。
【請求項１６】
皮膚外用剤の基剤用である、請求項１４又は１５記載の材料。
【請求項１７】
皮膚外用剤が化粧料である、請求項１６記載の材料。
【請求項１８】
皮膚外用剤が皮膚外用医薬品である、請求項１６記載の材料。
【請求項１９】
請求項１４又は１５記載の皮膚用粘着性材料を皮膚に接触させることを含む、皮膚粘着性ゲルの形成方法。
【発明の詳細な説明】
【技術分野】
【０００１】
本発明はスキンケア分野において使用する化粧料や皮膚外用医薬品等の皮膚外用剤の基剤に好適なゲル形成用ポリマー、ゲル形成用ポリマー混合物、皮膚用粘着性材料、及び皮膚粘着性ゲルに関する。
【背景技術】
【０００２】
整肌や美肌、及び、ざ瘡等の皮膚疾患の治癒等を目的として、従来から、クリーム、化粧水、乳液、さらには、ポリビニルアルコールやポリアクリル酸塩などの皮膜形成剤を含むパック剤等の種々の形態の皮膚外用剤が市販されている。【０００３】
これらの皮膚外用剤は、その中に配合されている有効成分や水分を皮膚に浸透させて効果を発揮するものであり、皮膚を浸潤状態に保ち、皮膚を水和させることによって、その効果を最大限に発揮できるものである。有効成分や水分の浸透性は、基剤と皮膚との分配係数によって決まるため、皮膚と基剤が密着することが非常に重要である。しかし、クリーム、化粧水、乳液では流動性を有するために、使用時に垂れや流れを生じると共に、適用部位に塗布しても比較的早く乾燥するため、皮膚を十分に水和させるだけの湿潤状態を保つことが困難である。そのため、水分及び有効成分を長く適用部位に留めさせるための基剤の開発が、盛んに研究、開発されている。【０００４】
そのような基剤としては、例えば、支持体上に、重合体もしくは共重合体と架橋剤を含む組成物の層を形成したシート状基剤があり、より詳細には、重合体もしくは共重合体として、ポリビニルアルコール、ポリアクリル酸及びその塩等を使用した水溶性のシート状基剤、重合体もしくは共重合体として、ゴム系共重合体やシリコーン系共重合体等を使用した疎水性のシート状基剤がある。一般に、水溶性のシート状基剤を用いた皮膚外用剤はパップ剤と呼ばれ、疎水性のシート状基剤を用いた皮膚外用剤はテープ剤と呼ばれている。これらパップ剤やテープ剤等の皮膚外用剤は、皮膚の適用部位に直接貼付することにより、水分や有効成分等が持続的に浸透することで、水分や有効成分を長く適用部位に留めさせる作用を有する。【０００５】
しかしながら、上記のシート状基剤を用いた皮膚外用剤はデメリットも有している。すなわち、皮膚表面には、非常に微細な凹凸があり、固化したシート状基剤が皮膚表面に完全に密着しているとはいい難く、必ず空隙が存在する。そのため、基剤の皮膚への接着性が弱く、皮膚外用剤が日常活動中に脱落することがある。また、経時と共に基剤中の水分等が蒸発し、硬化してしなやかさを失う。パップ剤やテープ剤がしなやかさを失うと、適用者の身体の動きに追従できず、皮膚への接着性がさらに低下して剥離しやすくなり、有効成分や水分がうまく皮膚内部に浸透しなくなる現象が起こる。このため、特許文献１〜３では、接着剤（重合体もしくは共重合体）の組成に工夫を施し、接着性の向上や水分の蒸発を防止する基剤の処方を提案しているが、基剤を皮膚表面の微細な凹凸に対応させること、すなわち、微細な凹凸を有する皮膚表面への基剤の十分な密着性という課題には着目しておらず、かかる課題の解決には至っていない。【０００６】
基剤を皮膚表面の微細な凹凸に対応させるには、例えば、特許文献４、５等に示されるように、シート状基剤をゲル状に軟化させる方法が考えられる。しかし、その場合、基剤の固形性が保てなくなり、使用時の垂れ等の原因になったり、剥がす際に基剤残りが生じ、ベタツキによる使用感の悪さや、皮膚のカブレ等が起こる。しかし、通常、皮膚への密着性よりも、生体への安全性の課題が優先されるため、基剤の処方は皮膚のカブレ等を抑えるための処方に重きが置かれることとなり、そのため、皮膚表面への基剤の十分な密着性という課題は十分に解決されていない。【０００７】
さらに、シート状基剤を使用した皮膚外用剤の最大の問題点として、基剤から薬剤や水分が皮膚へ移行しにくいという現象がある。すなわち、例えば、テープ剤は、接着剤となる重合体もしくは共重合体、該重合体もしくは共重合体を架橋する架橋剤、並びに、有効成分及び水分等を混合し、均一になったところで、該混合物を支持体上に延展させて得られるが、その際、有効成分や水分が架橋剤や重合体との化学反応により一部が架橋剤や重合体に結合してしまうため、テープ剤を適用部位に貼付しても、有効成分や水分が皮膚に移行せず、十分にその効果が発揮されないことがある。この課題を解決するため、例えば、特許文献６では、低分子化合物からなる架橋剤を使用せず、共重合体間で直接架橋が可能な構造を持つ共重合体を開発し、その中に有効成分や水分を配合したものが、既存のシート状基剤と比較して皮膚への有効成分や水分の移行性を向上させたものを提案しているが、皮膚表面への基剤の十分な密着性という課題や、経時的な基剤の接着性という課題に関しては言及されていない。【０００８】
一方、重合体や共重合体を溶解させた溶液を適用部位に直接塗布し、皮膚上で溶液が乾燥して重合体が膜を形成する、いわゆる、皮膜形成剤なるものがある。皮膜形成剤としては、ポリビニルピロリドンやポリビニルアルコール等を使用した古くから実際に使用されているものの他、特定機能を発揮させるために、独自性の高い人工合成の共重合体を使用した皮膜形成剤が提案されている（例えば、特許文献７：爪等に塗布するマニキュア、特許文献８：抗菌、防汚、特許文献９：紫外線等の外部刺激からの防御、特許文献１０：整髪、特許文献１１：乾燥による皮膚のかさつき防止、特許文献１２、１３：アイライナー、マスカラ、顔用化粧品等のメイクアップ全般）。【０００９】
しかし、これらの皮膜形成剤は、いずれも、水分が乾燥し、皮膚上に皮膜状に形成された重合体それ自体が、目的の用途においてその機能を発揮するものであり、有効成分や水分を持続的に皮膚中に浸透させることを目的としているものではない。
【先行技術文献】
【特許文献】
【００１０】
【特許文献１】特開２０１１−８８８９０号公報
【特許文献２】特開平６−４０８９３号公報
【特許文献３】特開２０１３−２１６６３６号公報
【特許文献４】特開６−１４２１７８号公報
【特許文献５】特開平８−２０８４５９号公報
【特許文献６】特開２００９−１４９６６０号公報
【特許文献７】特開２００５−３５０４６６号公報
【特許文献８】特開２０１０−５１６１号公報
【特許文献９】特開平５−３３１０１９号公報
【特許文献１０】特表２００６−５０８９３７号公報
【特許文献１１】特開２００３−１２４３７号公報
【特許文献１２】特表２００６−５０７３６７号公報
【特許文献１３】特表２０１４−５２８４２０号公報
【発明の概要】
【発明が解決しようとする課題】
【００１１】
本発明は上記の事情に鑑みて成されたものであり、その解決しようとする課題は、皮膚表面への密着性及び皮膚に対する接着性に優れたハイドロゲルを形成し得る新規な皮膚用粘着性材料を提供すること、及び、該皮膚用粘着性材料に使用するゲル形成用ポリマー材料を提供することである。
【課題を解決するための手段】
【００１２】
本発明者等は、上記の課題を解決すべく、全く新しい観点から鋭意研究を重ねた結果、本発明を完成するに至った。すなわち、水分およびポリマーを含む液体材料（ゾル）を皮膚に塗布することで皮膚の皮溝に湿潤し、液体中の水分の一部が揮発するか若しくは皮膚中に吸収されることで速やかにゲル化するようにすれば、得られたゲルは皮膚表面に対して隙間を形成することなく密着し、しかも、経時的に接着性が低下し難いものになるのではないかとの仮説の下、鋭意研究を進めたところ、側鎖に特定重合度のポリアルキレングリコール骨格を含む単量体単位と側鎖に特定炭素原子数の分岐アルキル基を含む単量体単位とを有する共重合体を水系溶媒に分散させた分散液は、上記の皮膚に塗布すること皮膚上で速やかにゲル化する材料になり得ることを見出し、本発明を完成するに至った。【００１３】
すなわち、本発明は以下の通りである。
［１］  側鎖に重合度２〜１００のポリアルキレングリコール骨格を有する単量体単位（Ｉ）及び側鎖に炭素原子数３〜３０の分岐アルキル基を有する単量体単位（ＩＩ）を含む共重合体（Ａ）からなる、ゲル形成用ポリマー。
［２］  単量体単位（Ｉ）が、下記式（１）で表される単量体単位であり、単量体単位（ＩＩ）が、下記式（２）で表される単量体単位である、上記［１］記載のポリマー。【００１４】
【化１】
2016204258.tif 000002
【００１５】
（式中、Ｒ１は水素原子又はメチル基を表し、Ｘ１は、−Ｏ−、−ＣＨ２−Ｏ−、−ＣＯ−、−ＣＯ−Ｏ−、又は−ＣＯ−ＮＲ２−を表す。ここでＲ２は水素原子または炭素原子数１〜４のアルキル基を表す。Ｒ３は水素原子または炭素原子数１〜１８のアルキル基を表し、Ａはアルキレン基を表し、２≦ｎ≦１００である。）【００１６】
【化２】
2016204258.tif 000003
【００１７】
（式中、Ｒ４は水素原子又はメチル基を表し、Ｘ２は、−Ｏ−、−ＣＨ２−Ｏ−、−ＣＯ−、又は−ＣＯ−Ｏ−を表し、Ｒ５は炭素原子数３〜３０の分岐アルキル基を表す。）【００１８】
［３］  式（１）中のＡ−Ｏで表されるオキシアルキレン基が、エチレンオキサイド基である、上記［２］記載のポリマー。
［４］  式（２）中のＲ５で表される炭素原子数３〜３０の分岐アルキル基が、下記式（４）〜（６）で表される基のいずれかである、上記［２］又は［３］記載のポリマー。【００１９】
【化３】
2016204258.tif 000004
【００２０】
［５］  共重合体（Ａ）における式（１）で表される単量体単位と式（２）で表される単量体単位の共重合比ａ１（（１）：（２））が５：９５〜９０：１０（モル比）である、上記［２］〜［４］のいずれか１つに記載のポリマー。
［６］  共重合体（Ａ）が、側鎖に炭素原子数３〜３０の直鎖アルキル基を有する単量体単位（ＩＩＩ）をさらに含む、上記［１］〜［４］のいずれか１つに記載のポリマー。
［７］  単量体単位（ＩＩＩ）が、下記式（３）で表される単量体単位である、上記［６］記載のポリマー。【００２１】
【化４】
2016204258.tif 000005
【００２２】
（式中、Ｒ６は水素原子又はメチル基を表し、Ｘ３は、−Ｏ−、−ＣＨ２−Ｏ−、−ＣＯ−、又は−ＣＯ−Ｏ−を表し、Ｒ７は炭素原子数３〜３０の直鎖アルキル基を表す。）
［８］  共重合体（Ａ）における式（１）で表される単量体単位と式（２）で表される単量体単位と式（３）で表される単量体単位の共重合比ａ２（（１）：（２）：（３））が、５〜６０：１０〜９０：５〜５０（モル比）（但し、（１）と（２）と（３）の数値の合計が１００）である、上記［７］記載のポリマー。
［９］  側鎖に重合度２〜１００のポリアルキレングリコール骨格を有する単量体単位（Ｉ）及び側鎖に炭素原子数３〜３０の分岐アルキル基を有する単量体単位（ＩＩ）を含む共重合体（Ａ）と、
側鎖に重合度２〜１００のポリアルキレングリコール骨格を有する単量体単位（Ｉ）及び側鎖に炭素原子数３〜３０の直鎖アルキル基を有する単量体単位（ＩＩＩ）を含む共重合体（Ｂ）とを含む、ゲル形成用ポリマー混合物。
［１０］  単量体単位（Ｉ）が、下記式（１）で表される単量体単位であり、単量体単位（ＩＩ）が、下記式（２）で表される単量体単位であり、単量体単位（ＩＩＩ）が、下記式（３）で表される単量体単位である、上記［９］記載のポリマー混合物。【００２３】
【化５】
2016204258.tif 000006
【００２４】
（式中、Ｒ１は水素原子又はメチル基を表し、Ｘ１は、−Ｏ−、−ＣＨ２−Ｏ−、−ＣＯ−、−ＣＯ−Ｏ−、又は−ＣＯ−ＮＲ２−を表す。ここでＲ２は水素原子または炭素原子数１〜４のアルキル基を表す。Ｒ３は水素原子または炭素原子数１〜１８のアルキル基を表し、Ａはアルキレン基を表し、２≦ｎ≦１００である。）【００２５】
【化６】
2016204258.tif 000007
【００２６】
（式中、Ｒ４は水素原子又はメチル基を表し、Ｘ２は、−Ｏ−、−ＣＨ２−Ｏ−、−ＣＯ−、又は−ＣＯ−Ｏ−を表し、Ｒ５は炭素原子数３〜３０の分岐アルキル基を表す。）【００２７】
【化７】
2016204258.tif 000008
【００２８】
（式中、Ｒ６は水素原子又はメチル基を表し、Ｘ３は、−Ｏ−、−ＣＨ２−Ｏ−、−ＣＯ−、又は−ＣＯ−Ｏ−を表し、Ｒ７は炭素原子数３〜３０の直鎖アルキル基を表す。）
［１１］  式（１）中のＡ−Ｏで表されるオキシアルキレン基が、エチレンオキサイド基である、上記［１０］記載のポリマー混合物。
［１２］  式（２）中のＲ５で表される炭素原子数３〜３０の分岐アルキル基が、下記式（４）〜（６）で表される基のいずれかである、上記［１０］又は［１１］記載のポリマー混合物。【００２９】
【化８】
2016204258.tif 000009
【００３０】
［１３］  共重合体（Ａ）における式（１）で表される単量体単位と式（２）で表される単量体単位の共重合比ａ３（（１）：（２））が１：９９〜９０：１０（モル比）であり、共重合体（Ｂ）における式（１）で表される単量体単位と式（３）で表される単量体単位の共重合比ｂ１（（１）：（３））が１：９９〜９０：１０（モル比）である、上記［１０］〜［１２］のいずれか１つに記載のポリマー混合物。
［１４］  （ａ）上記［１］〜［１３］のいずれか１つに記載のポリマー又はポリマー混合物、
（ｂ）水、及び
（ｃ）油性成分、を含む液状組成物であって、
皮膚上でゲルに変化する、皮膚用粘着性材料。
［１５］  さらに、（ｄ）有機溶剤を含有する、上記［１４］に記載の皮膚用粘着性材料。
［１６］  皮膚外用剤の基剤用である、上記［１４］又は［１５］記載の材料。
［１７］  皮膚外用剤が化粧料である、上記［１６］記載の材料。
［１８］  皮膚外用剤が皮膚外用医薬品である、上記［１６］記載の材料。
［１９］  上記［１４］又は［１５］記載の皮膚用粘着性材料を皮膚に接触させることを含む、皮膚粘着性ゲルの形成方法。
【発明の効果】
【００３１】
本発明によれば、水と共存することで、ゲル化し、しかも、皮膚への粘着性が発現する新規なゲル形成用ポリマー又はポリマー混合物を提供することができる。【００３２】
また、かかるゲル形成用ポリマー又はポリマー混合物を含むことで、皮膚へ塗布する前は液状でありながら、皮膚上で、皮膚表面への密着性に優れ、皮膚に対する接着性の持続性も良好なハイドロゲル（好ましくは、皮膚表面への密着性に優れ、皮膚に対する接着性の持続性も良好で、しかも、べたつきの無いハイドロゲル）に変化する皮膚用粘着性材料、を実現することができる。【００３３】
本発明により得られる皮膚用粘着性材料は、皮膚外用剤の基剤として好適であり、皮膚外用剤の基剤として使用することで、皮膚に基剤が密着し、皮膚が十分に水和した湿潤状態を持続させることができるため、有効成分や水分の皮膚への浸透性に優れた、皮膚外用剤を得ることが可能になる。
【図面の簡単な説明】
【００３４】
【図１】実施例３で調製された組成物の相図である。
【図２】実施例４で調製された組成物の相図である。
【図３】実施例５で調製された組成物の相図である。
【図４】実施例６で調製された組成物の相図である。
【図５】比較例１で調製された組成物の相図である。
【発明を実施するための形態】
【００３５】
以下、本発明を詳細に説明する。
［ゲル形成用ポリマー］
本発明のゲル形成用ポリマーは、側鎖に重合度２〜１００のポリアルキレングリコール骨格を有する単量体単位（Ｉ）及び側鎖に炭素原子数３〜３０の分岐アルキル基を有する単量体単位（ＩＩ）を含む共重合体（Ａ）からなる。
【００３６】
共重合体（Ａ）は、水と共存することで、ゲル化する。すなわち、単量体単位（Ｉ）の側鎖の重合度２〜１００のポリアルキレングリコール骨格同士が水分子を介して架橋することで、ゲル化し、ハイドロゲルを形成する。一方、単量体単位（ＩＩ）の側鎖の炭素原子数３〜３０の分岐アルキル基は皮膚粘着性を与える。従って、皮膚粘着性ハイドロゲルを形成し得る。
【００３７】
単量体単位（Ｉ）は、好ましくは、下記式（１）で表される単量体単位（以下、「式（１）の単量体単位」とも略称する。）である。
【００３８】
【化９】
2016204258.tif 000010
【００３９】
式（１）中、Ｒ１は水素原子又はメチル基を表し、Ｘ１は、−Ｏ−、−ＣＨ２−Ｏ−、−ＣＯ−、−ＣＯ−Ｏ−または−ＣＯ−ＮＲ２−を表す。なお、−ＣＯ−ＮＲ２−におけるＲ２は水素原子または炭素原子数１〜４のアルキル基を表す。
【００４０】
Ｒ３は水素原子または炭素原子数１〜１８の直鎖または分岐アルキル基を表し、水素原子、メチル基、エチル基、プロピル基、イソプロピル基が好ましく、水素原子、メチル基がより好ましい。
【００４１】
Ａはアルキレン基を表し、アルキレン基の炭素原子数は１〜５が好ましく、２〜３がより好ましい。
【００４２】
―（Ａ−Ｏ）ｎ―はポリアルキレングリコール骨格を表し、Ａ−Ｏで表されるオキシアルキレン基は、１種のオキシアルキレン基からなるものであってもよいし、例えば、エチレンオキサイド基とプロピレンオキサイド基との２種類等のような複数種類のオキシアルキレン基から構成されるものであってもよい。
【００４３】
ポリアルキレングリコール骨格の重合度ｎは、２≦ｎ≦１００であり、好ましくは、５≦ｎ≦１００００、より好ましくは、１０≦ｎ≦１００であり、特に好ましくは、１０≦ｎ≦５０である。ｎがかかる好ましい範囲にあれば、十分な効果が得られやすい。
【００４４】
式（１）の単量体単位は、（メタ）アクリル系単量体由来の単位（式中、Ｘ１が−ＣＯ−Ｏ−）、（メタ）アリルエーテル系単量体由来の単位（式中、Ｘ１が−ＣＨ２−Ｏ−）、ビニルエーテル系単量体由来の単位（式中、Ｘ１が−Ｏ−）、及び（メタ）アクリルアミド系単量体由来の単位（式中、Ｘ１が−ＣＯ−ＮＲ２−）から選ばれるいずれか１種または２種以上であるのが好ましく、より好ましくは、（メタ）アクリル系単量体由来の単位である。なお、本明細書中、「（メタ）アクリル」は「アクリル」及び「メタクリル」の両方を意味する。
【００４５】
式（１）の単量体単位の最も好ましい態様は、式中のＲ１がメチル基であり、Ｘ１が−ＣＯ−Ｏ−であり、―（Ａ−Ｏ）ｎ―が重合度１０〜１００のポリエチレングリコール残基、Ｒ３が水素原子である、ポリエチレングリコールメタクリレートである。
【００４６】
側鎖に炭素原子数３〜３０の分岐アルキル基を有する単量体単位（ＩＩ）は、好ましくは、下記式（２）で表される単量体単位（以下、「式（２）の単量体単位」とも略称する。）である。
【００４７】
【化１０】
2016204258.tif 000011
【００４８】
式（２）中、Ｒ４は水素原子又はメチル基を表し、Ｘ２は、−Ｏ−、−ＣＨ２−Ｏ−、−ＣＯ−、又は−ＣＯ−Ｏ−を表す。Ｒ５は炭素原子数３〜３０の分岐アルキル基を表す。
【００４９】
Ｒ５で表される炭素原子数３〜３０の分岐アルキル基は、例えば、イソプロピル基、イソブチル基、ｓｅｃ−ブチル基、ｔ−ブチル基、イソヘキシル基、イソヘプチル基、イソペンチル基、ネオペンチル基、ｔ−ペンチル基、１−メチルブチル基、２−メチルブチル基、１，２−ジメチルプロピル基、１−エチルプロピル基、１−メチルペンチル基、２−メチルペンチル基、３−メチルペンチル基、４−メチルペンチル基、１，１−ジメチルブチル基、２，２−ジメチルブチル基、３，３−ジメチルブチル基、１，２−ジメチルブチル基、２，３−ジメチルブチル基、１，３−ジメチルブチル基、１−エチルブチル基、２−エチルブチル基、１，１，２−トリメチルプロピル基、１，２，２−トリメチルプロピル基、１−エチル−１−メチルプロピル基、１−エチル−２−メチルプロピル基、イソオクチル基、イソノニル基、イソデシル基、イソラウリル基、イソパルミチル基、イソミリスチル基、イソステアリル基、イソアイコシル基、下記の式（４）〜（９）で表される基等が挙げられる。これらのうち、炭素原子数が４〜２４のものが好ましく、炭素原子数が６〜２０のものがより好ましく、特に好ましくは、下記の式（４）〜（９）で表される基であり、最も好ましくは、下記の式（４）〜（６）で表される基である。
【００５０】
【化１１】
2016204258.tif 000012
【００５１】
式（２）の単量体単位は、（メタ）アクリル系単量体由来の単位（式中、Ｘ２が−ＣＯ−Ｏ−）、（メタ）アリルエーテル系単量体由来の単位（式中、Ｘ２が−ＣＨ２−Ｏ−）、及びビニルエーテル系単量体由来の単位（式中、Ｘ２が−Ｏ−）から選ばれるいずれか１種または２種以上であるのが好ましく、より好ましくは、（メタ）アクリル系単量体由来の単位である。
【００５２】
式（２）の単量体単位の最も好ましい態様は、式中のＲ４が水素原子又はメチル基であり、Ｘ２が−ＣＯ−Ｏ−であり、Ｒ５が式（４）の分岐アルキル基である、（メタ）アクリレート系単量体である。
【００５３】
共重合体（Ａ）は、ランダム共重合体、ブロック共重合体のいずれであってもよいが、ランダム共重合体が好ましい。また、式（１）の単量体単位と式（２）の単量体単位との共重合比ａ１（（１）：（２））は、モル比で換算して、５：９５〜９０：１０が好ましく、１５：８５〜８０：２０がより好ましく、２０：８０〜７０：３０がさらに一層好ましく、２０：８０〜５５：４５が特に好ましい。式（１）の単量体単位の割合が小さすぎると、皮膚上でゲルを形成しにくくなり、大きすぎると、皮膚への密着性が得難くなる。
【００５４】
共重合体（Ａ）により形成される、ハイドロゲルのベタツキを抑制する観点から、共重合体（Ａ）は、側鎖に炭素原子数３〜３０の直鎖アルキル基を有する単量体単位（ＩＩＩ）をさらに含む、共重合体であってもよい。
【００５５】
単量体単位（ＩＩＩ）は、好ましくは、下記式（３）で表される単量体単位（以下、「式（３）の単量体単位」とも略称する。）である。
【００５６】
【化１２】
2016204258.tif 000013
【００５７】
（式中、Ｒ６は水素原子又はメチル基を表し、Ｘ３は、−Ｏ−、−ＣＨ２−Ｏ−、−ＣＯ−、又は−ＣＯ−Ｏ−を表し、Ｒ７は炭素原子数３〜３０の直鎖アルキル基を表す。）
【００５８】
式（３）中、Ｒ７で表される炭素原子数３〜３０の直鎖アルキル基は、例えば、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル、ｎ−オクタデシル、ｎ−ノナデシル、ｎ−イコシル基、ｎ−ヘンイコシル基、ｎ−ドコシル基、ｎ−トリコシル基、ｎ−テトラコシル基、ｎ−ペンタコシル基、ｎ−ヘキサコシル基、ｎ−ヘプタコシル基、ｎ−オクタコシル基、ｎ−ノナコシル基、ｎ−トリアコンチル基等が挙げられる。これらのうち、炭素原子数が４〜２４のものが好ましく、炭素原子数が６〜２０のものがより好ましく、特に好ましくは、ｎ−ヘキサデシル基、ｎ−オクタデシル基である。
【００５９】
式（３）の単量体単位は、（メタ）アクリル系単量体由来の単位（式中、Ｘ３が−ＣＯ−Ｏ−）、（メタ）アリルエーテル系単量体由来の単位（式中、Ｘ３が−ＣＨ２−Ｏ−）、及びビニルエーテル系単量体由来の単位（式中、Ｘ３が−Ｏ−）から選ばれるいずれか１種または２種以上であるのが好ましく、より好ましくは、（メタ）アクリル系単量体由来の単位である。
【００６０】
式（３）の単量体単位の最も好ましい態様は、式中のＲ６がメチル基であり、Ｘ３が−ＣＯ−Ｏ−であり、Ｒ７がｎ−オクタデシル基である、メタクリレート系単量体である。
【００６１】
共重合体（Ａ）が式（３）の単量体単位を含む共重合体である場合、共重合体（Ａ）は、ランダム共重合体、ブロック共重合体のいずれであってもよいが、ランダム共重合体が好ましい。また、式（１）の単量体単位と式（２）の単量体単位と式（３）の単量体単位との共重合比ａ２（（１）：（２）：（３））は、モル比で換算して、５〜６０：１０〜９０：５〜５０（但し、３つの数値の合計が１００）であることが好ましい。式（１）の単量体単位の割合が小さすぎると、皮膚上でゲルを形成し難くなり、式（３）の単量体単位の割合が小さすぎると、ゲルのベタツキ抑制効果が十分に得られにくくなり、大きすぎると、ゲルの皮膚粘着性が低下する傾向になる。
【００６２】
共重合体（Ａ）の重量平均分子量（Ｍｗ）は、好ましくは５０００〜２０００００であり、より好ましくは１００００〜１０００００である。重量平均分子量（Ｍｗ）が５０００より小さいと、皮膚への密着性やゲル化能が発現し難くなる傾向となり、２０００００より大きいと、例えば、後述の有機溶剤（希釈剤）を使用する場合に、有機溶剤と混合し難い傾向となる。重量平均分子量（Ｍｗ）がかかる好ましい範囲にあれば、十分な効果が得られやすい。
【００６３】
本発明における重量平均分子量（Ｍｗ）は、ゲルパーミエーションクロマトグラフィー（ＧＰＣ）法（ポリスチレンン換算）で測定される。ＧＰＣ法による重量平均分子量は、具体的には、測定装置として東ソー(株)製、HLC-8320GPC  Eco-SECを、カラムとして東ソー(株)製、SuperHZを、移動相としてテトラヒドロフラン等を用いて、カラム温度２５℃にて測定し、標準ポリスチレンの検量線を用いて算出することができる。
【００６４】
上記では、本発明のゲル形成用ポリマーにおける、側鎖に重合度２〜１００のポリアルキレングリコール骨格を有する単量体単位（Ｉ）及び側鎖に炭素原子数３〜３０の分岐アルキル基を有する単量体単位（ＩＩ）を含む共重合体（Ａ）を、式（１）及び式（２）の単量体単位に加えて、式（３）の単量体単位をさらに共重合した共重合体とすることで、共重合体（Ａ）により形成されるハイドロゲルのベタツキ抑制効果が高められることを説明したが、本発明のゲル形成用ポリマーは、側鎖に重合度２〜１００のポリアルキレングリコール骨格を有する単量体単位（Ｉ）及び側鎖に炭素原子数３〜３０の分岐アルキル基を有する単量体単位（ＩＩ）を含む共重合体（Ａ）と、側鎖に重合度２〜１００のポリアルキレングリコール骨格を有する単量体単位（Ｉ）及び側鎖に炭素原子数３〜３０の直鎖アルキル基を有する単量体単位（ＩＩＩ）を含む共重合体（Ｂ）との混合物（ポリマー混合物）の態様であってもよい。
【００６５】
かかる共重合体（Ａ）と共重合体（Ｂ）のポリマー混合物の場合、共重合体（Ａ）の好ましい態様は、上述の式（１）の単量体単位と上述の式（３）の単量体単位との共重合体である。また、共重合体（Ｂ）における、単量体単位（Ｉ）は、好ましくは、上述の式（１）の単量体単位であり、単量体単位（ＩＩＩ）は、好ましくは、上述の式（３）の単量体単位である。なお、この場合の、式（１）の単量体単位および式（３）の単量体単位の好ましい態様は、上述の共重合体（Ａ）におけるそれが踏襲される。
【００６６】
ポリマー混合物における共重合体（Ａ）は、ランダム共重合体、ブロック共重合体のいずれであってもよいが、ランダム共重合体が好ましい。また、式（１）の単量体単位と式（２）の単量体単位との共重合比ａ３（（１）：（２））は、モル比で換算して、１：９９〜９０：１０が好ましく、５：９５〜８０：２０がより好ましい。式（１）の単量体単位の割合が小さすぎると、皮膚上で共重合体の粉状の析出が生じる虞があり、大きすぎると、ゲルのベタツキを抑制することが困難な傾向になる。
【００６７】
また、ポリマー混合物における共重合体（Ｂ）は、ランダム共重合体、ブロック共重合体のいずれであってもよいが、ランダム共重合体が好ましい。また、式（１）の単量体単位と式（３）の単量体単位との共重合比ｂ１（（１）：（３））は、モル比で換算して、１：９９〜９０：１０が好ましく、５：９５〜８０：２０がより好ましく、１０：９０〜８０：２０がさらに一層好ましく、１０：９０〜５５：４５が特に好ましい。式（１）の単量体単位の割合が小さすぎると、皮膚上でゲルを形成しにくくなる傾向となり、大きすぎると、皮膚上で共重合体が紛体状に析出するおそれがある。また、共重合体（Ｂ）の重量平均分子量（Ｍｗ）は、好ましくは５０００〜２０００００であり、より好ましくは１００００〜１０００００である。重量平均分子量（Ｍｗ）が５０００より小さいと、ベタツキの抑制効果が発揮され難くなり、２０００００より大きいと、逆にベタツキが強まるおそれがある。重量平均分子量（Ｍｗ）がかかる好ましい範囲にあれば、十分な効果が得られやすい。また上記範囲外であると、皮膚への密着性が得難くなる。
【００６８】
ポリマー混合物における共重合体（Ａ）と共重合体（Ｂ）の混合比（（Ａ）：（Ｂ））は、共重合体（Ａ）における共重合比ａ３や共重合体（Ｂ）における共重合比ｂ１によっても異なるが、一般的には、質量比で、９５：５〜１０：９０が好ましく、９０：１０〜４０：６０がより好ましい。共重合体（Ｂ）の割合が小さすぎると、ベタツキの抑制効果が発揮され難くなる傾向となり、大きすぎると、皮膚への密着性が十分に発揮されない傾向となる。
【００６９】
共重合体（Ａ）および共重合体（Ｂ）は、例えば、式（１）、（２）の単量体単位、式（１）〜（３）の単量体単位、或いは、式（１）、（３）の単量体単位に充当する単量体の混合物を、ラジカル重合開始剤の存在下、窒素等の不活性ガス雰囲気において重合することにより得ることができる。重合（反応温度）は重合開始剤に適当な温度に加温もしくは冷却して行えば良い。重合方法としては、例えば、溶液重合、分散重合、沈殿重合、塊状重合等が挙げられ、中でも溶液重合または沈殿重合が好ましい。特に、分子量制御の観点から、有機溶媒中での溶液重合によって反応を実施することが好ましい。有機溶媒は、メタノール、エタノール、ｎ−プロパノール、イソプロパノール等のアルコール類；酢酸メチル、酢酸エチル等のエステル類；アセトン、メチルエチルケトン等のケトン類；ベンゼン、トルエン等の芳香族炭化水素等が挙げられ、ポリマーの生体への安全性の観点から、アルコール類が好ましい。溶媒は１種または２種以上を併用することができる。有機溶媒中での溶液重合の場合、重合反応物全体における有機溶媒の含量は、全単量体の合計量の１質量部当たり、１〜１００質量部が好ましく、より好ましくは５〜５０質量部である。
【００７０】
重合開始剤は、ラジカル重合性二重結合を有するモノマーの共重合に用いる一般的なものを用いればよく、好ましくは、アゾ系重合開始剤が用いられる。アゾ系重合開始剤としては、例えば、２，２’−アゾビスイソブチロニトリル、２，２’−アゾビス−２−メチルブチロニトリル、２，２’−アゾビス−２，４−ジメチルバレロニトリル、２，２’−アゾビス−４−メトキシ−２，４−ジメチルバレロニトリル、ジメチル２，２’−アゾビスイソブチレート等が挙げられる。これらは１種又は２種以上を使用できる。中でも、得られるポリマーの生体への安全性の観点から、ジメチル２，２’−アゾビスイソブチレートが特に好ましい。重合開始剤の量は、単量体全量に対して１〜１００モル％が好ましく、３〜５０モル％がより好ましい。
【００７１】
重合反応により生成した共重合体（共重合体（Ａ）又は共重合体（Ｂ））を含む重合反応物は適宜乾燥、濾過等を行って、共重合体を採取する。例えば、溶液重合により共重合体を合成した場合、減圧乾燥により溶媒を濃縮（揮散）して共重合体を採取する。
【００７２】
［皮膚用粘着性材料］
（ａ）本発明のゲル形成用ポリマー又はポリマー混合物、すなわち、上記のようにして得られた共重合体（共重合体（Ａ）、或いは、共重合体（Ａ）と共重合体（Ｂ）の混合物）は、例えば、（ｂ）水、（ｃ）油性成分等を加えて、乳液状（Ｏ／Ｗエマルジョン）の液状組成物に調製して使用される。かかる液状組成物が、本発明の皮膚用粘着性材料となる。なお、上記のようにして得られた共重合体（共重合体（Ａ）、或いは、共重合体（Ａ）と共重合体（Ｂ）の混合物）の粘度が高く、乳液状（Ｏ／Ｗエマルジョン）を形成し難い場合は、共重合体の希釈剤として、（ｄ）有機溶剤をさらに加えて、液状組成物を調製することが好ましい。
【００７３】
（ｂ）水は、超純水、純水、精製水もしくは水道水が好ましく、より好ましくは純水、精製水である。しかしながら、これらに制限されることは無く、例えば香料が含まれる香水等や、天然由来の水分である果汁水等も用いることができ、特に制限はされない。
【００７４】
（ｃ）油性成分は、特に制限されることなく、通常、化粧料、皮膚外用医薬品等に使用される炭化水素油、高級脂肪酸、高級アルコール、合成エステル油、液体油脂、シリコーン油などが挙げられ、１種また２種以上を用いることができる。
【００７５】
炭化水素油としては、例えば、イソドデカン、イソヘキサデカン、イソパラフィン、パラフィン、流動パラフィン、スクワラン、スクワレン、セレシン等が挙げられる。
【００７６】
高級脂肪酸としては、例えば、ラウリン酸、ミリスチン酸、パルミチン酸、ステアリン酸、ベヘン酸、オレイン酸、ウンデシレン酸、トール酸、イソステアリン酸、リノール酸、リノレイン酸、エイコサペンタエン酸（ＥＰＡ）、ドコサヘキサエン酸（ＤＨＡ）等が挙げられる。
【００７７】
高級アルコールとしては、例えば、直鎖アルコール（例えば、ラウリルアルコール、セチルアルコール、ステアリルアルコール、ベヘニルアルコール、ミリスチルアルコール、オレイルアルコール、セトステアリルアルコール等）；分枝鎖アルコール（例えば、モノステアリルグリセリンエーテル(バチルアルコール)、２−デシルテトラデシノール、ラノリンアルコール、コレステロール、フィトステロール、ヘキシルドデカノール、イソステアリルアルコール、オクチルドデカノール等）等が挙げられる。
【００７８】
合成エステル油としては、例えば、ミリスチン酸イソプロピル、オクタン酸セチル、２−エチルヘキサン酸セチル、ミリスチン酸オクチルドデシル、パルミチン酸イソプロピル、ステアリン酸ブチル、ラウリン酸ヘキシル、ミリスチン酸ミリスチル、オレイン酸デシル、ジメチルオクタン酸ヘキシルデシル、乳酸セチル、乳酸ミリスチル、酢酸ラノリン、ステアリン酸イソセチル、イソステアリン酸イソセチル、１２−ヒドロキシステアリン酸コレステリル、ジ−２−エチルヘキサン酸エチレングリコール、ジペンタエリスリトール脂肪酸エステル、モノイソステアリン酸Ｎ−アルキルグリコール、ジカプリン酸ネオペンチルグリコール、リンゴ酸ジイソステアリル、ジ−２−ヘプチルウンデカン酸グリセリン、トリ−２−エチルヘキサン酸トリメチロールプロパン、トリイソステアリン酸トリメチロールプロパン、テトラ−２−エチルヘキサン酸ペンタエリスリトール、トリ−２−エチルヘキサン酸グリセリン、トリオクタン酸グリセリン、トリイソパルミチン酸グリセリン、トリイソステアリン酸トリメチロールプロパン、パルミチン酸２−エチルヘキシル、トリミリスチン酸グリセリン、トリ−２−ヘプチルウンデカン酸グリセライド、ヒマシ油脂肪酸メチルエステル、オレイン酸オレイル、アセトグリセライド、パルミチン酸２−ヘプチルウンデシル、アジピン酸ジイソブチル、Ｎ−ラウロイル−Ｌ−グルタミン酸−２−オクチルドデシルエステル、アジピン酸ジ−２−ヘプチルウンデシル、エチルラウレート、セバシン酸ジ−２−エチルヘキシル、ミリスチン酸２−ヘキシルデシル、パルミチン酸２−ヘキシルデシル、アジピン酸２−ヘキシルデシル、セバシン酸ジイソプロピル、コハク酸２−エチルヘキシル、クエン酸トリエチル等が挙げられる。これらの中で、ジカプリン酸ネオペンチルグリコールが好ましい。
【００７９】
液体油脂としては、例えば、アマニ油、ツバキ油、マカデミアナッツ油、トウモロコシ油、ミンク油、オリーブ油、アボガド油、サザンカ油、ヒマシ油、サフラワー油、ホホバ油、ヒマワリ油、アルモンド油、ナタネ油、ゴマ油、大豆油、落花生油、トリグリセリン、トリオクタン酸グリセリン、トリイソパルミチン酸グリセリン等がある。
【００８０】
また、シリコーン油としては、例えば、ジメチルポリシロキサン、メチルフェニルポリシロキサン、メチルハイドロジェンポリシロキサン等の鎖状シリコーン、オクタメチルシクロテトラシロキサン、デカメチルシクロペンタシロキサン、ドデカメチルシクロヘキサシロキサン等の環状シリコーンがある。
【００８１】
（ｄ）有機溶剤としては、ゲル形成用ポリマー又はポリマー混合物（すなわち、共重合体（Ａ）、或いは、共重合体（Ａ）と共重合体（Ｂ）の混合物）を希釈し得るものであれば、特に制限なく使用できる。例えば、アルコール系溶媒、エーテル系溶媒、ケトン系溶媒等が好適であり、また、極性溶媒（例えば、酢酸エチル、テトラヒドロフラン等）も使用可能である。
【００８２】
アルコール系溶媒としては、例えば、メタノール、エタノール、ｎ−プロパノール、イソプロパノール、ｎ−ブタノール、イソブタノール、ｔ−ブタノール、２−エチルヘキシルアルコール等の低級一価アルコールや、プロピレングリコール、グリセリン、１，３−ブタンジオール等の多価アルコールが挙げられる。また、エーテル系溶媒としては、例えば、ジエチルエーテル、テトラヒドロフラン、ジオキサン、エチルセロソルブ、ブチルセロソルブ、エチルカルビトール、ブチルカルビトール、プロピレングリコールモノメチルエーテル等が挙げられる。また、ケトン系溶媒としては、例えば、アセトン、メチルエチルケトン、メチルイソブチルケトン、ジ−ｎ−ブチルケトン、シクロヘキサノン等が挙げられる。有機溶剤は好ましくはアルコール系溶媒であり、より好ましくは、エタノールである。
【００８３】
有機溶剤は１種または２種以上を使用できる。
有機溶剤を使用する場合、ゲル形成用ポリマー又はポリマー混合物（すなわち、共重合体（Ａ）、或いは、共重合体（Ａ）と共重合体（Ｂ）の混合物）に、有機溶剤を加えて混合し、その後、（ｂ）水および（ｃ）油性成分を加えて、乳液状（Ｏ／Ｗエマルジョン）の液状組成物に調製する手順が好ましい。
【００８４】
本発明の皮膚用粘着性材料を皮膚に接触させることで、皮膚粘着性ゲルを形成することができる。すなわち、本発明の皮膚用粘着性材料を皮膚に塗布すると、水が一部揮発もしくは皮膚中に浸透して、全体の組成比が変わることにより、共重合体の単量体単位（Ｉ）の側鎖にあるポリアルキレングリコール骨格同士が水を介して架橋することでゲル化し、皮膚上に留まる。また、共重合体中の単量体単位（ＩＩ）の側鎖にある分鎖アルキル基が皮膚との親和性を示し、皮膚粘着性を与える。さらに、共重合体が単量体単位（ＩＩＩ）を有する場合、単量体単位（ＩＩＩ）の側鎖にある直鎖アルキル基がハイドロゲルのベタツキを抑制するので、ベタツキが抑制されたハイドロゲルが得られる。
【００８５】
従って、本発明によれば、皮膚へ塗布する前は液状でありながら、皮膚上で、皮膚表面への密着性に優れ、皮膚に対する接着性の持続性も良好なハイドロゲル（好ましくは、皮膚表面への密着性に優れ、皮膚に対する接着性の持続性も良好で、しかも、ベタツキが抑制されたハイドロゲル）に変化する、皮膚用粘着性材料、を実現することができる。
【００８６】
なお、本発明の皮膚用粘着性材料（液状組成物）には、上記の水、油性成分、有機溶剤の他に適宜添加剤を配合することが出来る。例えば、添加剤としては、他の高分子、アルコール系の溶剤、界面活性剤、防腐剤等が挙げられ、これらは自由に配合可能である。
【００８７】
本発明の皮膚用粘着性材料（液状組成物）の配合組成は特に限定されないが、好適な具体例として、例えば、以下の配合組成が挙げられる。
ゲル形成用ポリマー又はポリマー混合物：２〜４０質量％（好ましくは５〜２０質量％）、
水：２０〜９５質量％（好ましくは３０〜９０質量％）、
油性成分：１〜６０質量％（好ましくは２〜５０質量％）、
有機溶剤：２〜４０質量％（好ましくは５〜２０質量％）、
添加剤：０〜５０質量％（好ましくは０〜１０質量％）
【００８８】
本発明の皮膚用粘着性材料は、化粧料、皮膚外用医薬品等の皮膚外用剤の基剤に好適である。化粧料の基剤としては、例えば、保湿シート、美白シート、しわ伸ばしシート、角質除去シートなどの基礎化粧品、ボディー用保湿シート、ボディー用美白剤、日焼けトリートメント剤などの基剤が挙げられる。これら化粧料の基剤とする場合、添加剤としては、グリセリン、プロピレングリコール、ジプロピレングリコール、１，３−ブタンジオールなどの多価アルコール類；エタノール、プロパノールなどの低級アルコール類；ソルビトール、キシリトール、マンニトールなどの糖類；パラベン、フェノキシエタノール、グルコン酸クロルヘキシジンなどの防腐剤；トコフェロールおよびその誘導体、ブチルヒドロキシトルエン、ピロ亜硫酸塩などの抗酸化剤；パラアミノ安息香酸誘導体、ベンゾフェノン誘導体などの紫外線吸収剤；ポリエチレングリコール、ヒアルロン酸などの保湿剤；ビタミンＣやアスコルビン酸-2-グルコシドなどのビタミンＣ誘導体、アルブチン、コウジ酸などの美白剤；尿素、乳酸、クエン酸などの角質除去剤；トラネキサム酸、アラントイン、グリチルリチン酸塩などの抗炎症剤；水酸化カリウム（ＫＯＨ）、クエン酸塩、酢酸塩などのｐＨ調整剤；キレート剤；香料；アミノ酸およびアミノ酸塩；コラーゲン；色素；胎盤抽出物、朝鮮人参エキス、ステロール配糖体などの薬効成分；ナトリウム塩、カルシウム塩、カリウム塩などの無機塩類；タルク、シリカゲル、酸化亜鉛、酸化チタンなどの粉体類などが好適である。
【００８９】
本発明の皮膚用粘着性材料を皮膚外用医薬品の基剤として使用する場合、例えば、食塩などの浸透圧調整剤を配合した創傷・火傷保護シート、エタノールやメントールを配合した熱さまし用シート、抗ヒスタミン剤やステロイドホルモンなどを配合した痒み止めシート、殺菌剤や抗生物質を配合した化膿防止薬、抗炎症剤を配合した抗炎症薬、抗真菌剤を配合した水虫治療薬やタムシ治療薬等の基剤として好適である。
【実施例】
【００９０】
以下、実施例及び比較例等を示し、本発明を詳しく説明するが、本発明がこれらの例に限定されるものでは無い。【００９１】
実施例１：共重合体１の合成
５００ｍＬの丸底フラスコに、メタノールで再結晶し精製したジメチル２，２’−アゾビスイソブチラート（和光純薬社製）を１．１５ｇ（５．０ｍｍｏｌ）、ヘキサンで重合禁止剤を予め除去し精製したイソステアリルアクリレート（大阪有機化学社製、アルコール残基が式（４）の分岐アルキル基からなるアクリル酸エステル）を２６．０ｇ（８０ｍｍｏｌ）、ヘキサンで再沈殿させ、重合禁止剤を予め除去し精製した重合度が２３のポリエチレングリコールメタクリレート（日油社製、ブレンマー１０００）を２２．２ｇ（２０ｍｍｏｌ）、脱水エタノールを１９７．２ｇ加え、窒素雰囲気下で７５℃、１２０分間加熱撹拌を行った。その後、減圧乾燥にてエタノールを濃縮することで、側鎖にポリエチレングリコール骨格を有する単量体単位（ｘ）と側鎖に式（４）の分岐アルキル基を有する単量体単位（ｙ）の含有比（ｘ：ｙ）がモル比で２：８の共重合体１を得た。GPCによる分子量測定の結果、重量平均分子量（Mw）＝３７６８１、数平均分子量（Mn）=１４７７５、多分散度（Mw/Mn）=２．５５４であった。【００９２】
実施例２：共重合体２の合成
５００ｍＬの丸底フラスコに、メタノールで再結晶し精製したジメチル２，２’−アゾビスイソブチラート（和光純薬社製）を１．１５ｇ（５．０ｍｍｏｌ）、ヘキサンで重合禁止剤を予め除去し精製したイソステアリルアクリレート（大阪有機化学社製、アルコール残基が式（４）の分岐アルキル基からなるアクリル酸エステル）を１６．２ｇ（５０ｍｍｏｌ）、ヘキサンで再沈殿させ、重合禁止剤を予め除去し精製した重合度が２３のポリエチレングリコールメタクリレート（日油社製、ブレンマー１０００）を５５．５ｇ（５０ｍｍｏｌ）、脱水エタノールを２９１．５ｇ加え、窒素雰囲気下で７５℃、１２０分間加熱撹拌を行った。その後、減圧乾燥にてエタノールを濃縮することで、側鎖にポリエチレングリコール骨格を有する単量体単位（ｘ）と側鎖に式（４）の分岐アルキル基を有する単量体単位（ｙ）の含有比（ｘ：ｙ）がモル比で５：５の共重合体２を得た。GPCによる分子量測定の結果、重量平均分子量（Mw）＝８９１３９、数平均分子量（Mn）=３２５０８、多分散度（Mw/Mn）=２．７４２であった。【００９３】
参考例１：共重合体３の合成
５００ｍＬの丸底フラスコに、メタノールで再結晶し精製したジメチル２，２’−アゾビスイソブチラート（和光純薬社製）を１．１５ｇ（５．０ｍｍｏｌ）、ヘキサンで重合禁止剤を予め除去し精製したステアリルメタクリレート（東京化成工業社製、アルコール残基がｎ−オクタデシルからなるメタリル酸エステル）を３０．４ｇ（８０ｍｍｏｌ）、ヘキサンで再沈殿させ、重合禁止剤を予め除去し精製した重合度が２３のポリエチレングリコールメタクリレート（日油社製、ブレンマー１０００）を１１．１ｇ（１０ｍｍｏｌ）、脱水エタノールを１７０．９ｇ加え、窒素雰囲気下で７５℃、１２０分間加熱撹拌を行った。その後、減圧乾燥にてエタノールを濃縮することで、側鎖にポリエチレングリコール骨格を有する単量体単位（ｘ）と、側鎖にｎ−オクタデシル基を有する単量体単位（ｚ）の含有比（ｘ：ｚ）がモル比で１：９の共重合体３を得た。GPCによる分子量測定の結果、重量平均分子量（Mw）＝１７４５７、数平均分子量（Mn）=１０２４３、多分散度（Mw/Mn）=１．７０４であった。【００９４】
参考例２：共重合体４の合成
５００ｍＬの丸底フラスコに、メタノールで再結晶し精製したジメチル２，２’−アゾビスイソブチラート（和光純薬社製）を１．１５ｇ（５．０ｍｍｏｌ）、ヘキサンで重合禁止剤を予め除去し精製したステアリルメタクリレート（東京化成工業社製、アルコール残基がｎ−オクタデシルからなるメタリル酸エステル）を１７．０ｇ（５０ｍｍｏｌ）、ヘキサンで再沈殿させ、重合禁止剤を予め除去し精製した重合度が２３のポリエチレングリコールメタクリレート（日油社製、ブレンマー１０００）を５５．５ｇ（５０ｍｍｏｌ）、脱水エタノールを２９４．３ｇ加え、窒素雰囲気下で７５℃、１２０分間加熱撹拌を行った。その後、減圧乾燥にてエタノールを濃縮することで、側鎖にポリエチレングリコール骨格を有する単量体単位（ｘ）と、側鎖にｎ−オクタデシル基を有する単量体単位（ｚ）の含有比（ｘ：ｚ）がモル比で５：５の共重合体４を得た。GPCによる分子量測定の結果、重量平均分子量（Mw）＝７８４２３、数平均分子量（Mn）=３８８０２、多分散度（Mw/Mn）=２．０１６であった。【００９５】
実施例３
ｘ：ｙ＝２：８の共重合体１と、同量のエタノールを試験管に加え、ホットスターラーで６０℃に加熱し、スパーテルで１０分間手撹拌し、均一にした。さらに油性成分としてジカプリン酸ネオペンチルグリコールを撹拌しながら加え、さらに精製水を加え、３０分間手撹拌し、サンプルを調製した。共重合体１及びエタノールと、油性成分と、精製水とを様々な比率で混合し、得られた分散液の形状を目視にて確認した。白濁した溶液を乳化状態、試験管を倒置しても分散液が落下しない状態をゲル状態、乳液から油性成分が液吐きされたものを相分離と判断し、相図（図１）を作成した。【００９６】
実施例４
ｘ：ｙ＝５：５の共重合体２と、同量のエタノールを試験管に加え、ホットスターラーで６０℃に加熱し、スパーテルで１０分間手撹拌し、均一にした。さらに油性成分としてジカプリン酸ネオペンチルグリコールを撹拌しながら加え、さらに精製水を加え、３０分間手撹拌し、サンプルを調製した。共重合体２及びエタノールと、油性成分と、精製水とを様々な比率で混合し、得られた分散液の形状を目視にて確認した。白濁した溶液を乳化状態、試験管を倒置しても分散液が落下しない状態をゲル状態、乳液から油性成分が液吐きされたものを相分離と判断し、相図（図２）を作成した。【００９７】
実施例５
ｘ：ｙ＝２：８の共重合体１とｘ：ｚ＝１：９の共重合体３を１：１の質量部比で混合し、同質量部のエタノールを試験管に加え、ホットスターラーで６０℃に加熱し、スパーテルで１０分間手撹拌し、均一にした。さらに油性成分としてジカプリン酸ネオペンチルグリコールを撹拌しながら加え、さらに精製水を加え、３０分間手撹拌し、サンプルを調製した。共重合体１、共重合体３及びエタノールと、油性成分と、精製水とを様々な比率で混合し、得られた分散液の形状を目視にて確認した。白濁した溶液を乳化状態、試験管を倒置しても分散液が落下しない状態をゲル状態、乳液から油性成分が液吐きされたものを相分離と判断し、相図（図３）を作成した。【００９８】
実施例６
ｘ：ｙ＝５：５の共重合体２とｘ：ｚ＝５：５の共重合体４を１：１の質量部比で混合し、同質量部のエタノールを試験管に加え、ホットスターラーで６０℃に加熱し、スパーテルで１０分間手撹拌し、均一にした。さらに油性成分としてジカプリン酸ネオペンチルグリコールを撹拌しながら加え、さらに精製水を加え、３０分間手撹拌し、サンプルを調製した。共重合体２、共重合体４及びエタノールと、油性成分と、精製水とを様々な比率で混合し、得られた分散液の形状を目視にて確認した。白濁した溶液を乳化状態、試験管を倒置しても分散液が落下しない状態をゲル状態、乳液から油性成分が液吐きされたものを相分離と判断し、相図（図４）を作成した。【００９９】
実施例３〜６の結果から、実施例３〜６で調製された共重合体を含む組成物は、同一成分にて、水中油滴型の乳化状態、水中油滴型のゲル状態及び相分離の３つ状態が存在することが分かる。このことは、乳化状態では液状であることから皮膚表面の凹凸に対応して皮膚表面に広がり、付着し、水分が一部蒸発もしくは皮膚中に浸透して組成が変わると、ゲル状態（ハイドロゲル）へと変化することを示している。【０１００】
比較例１：共重合体５の合成
５００ｍＬの丸底フラスコに、メタノールで再結晶し精製したジメチル２，２’−アゾビスイソブチラート（和光純薬社製）を１．１５ｇ（５．０ｍｍｏｌ）、ヘキサンで再沈殿させ、重合禁止剤を予め除去し精製したメタクリル酸メチル（東京化成工業社製）を９．５ｇ（９５ｍｍｏｌ）、ヘキサンで再沈殿させ、重合禁止剤を予め除去し精製した重合度が２３のポリエチレングリコールメタクリレート（日油社製、ブレンマー１０００）を５．５ｇ（５ｍｍｏｌ）、脱水エタノールを６４．８ｇ加え、窒素雰囲気下で７５℃、１２０分間加熱撹拌を行った。その後、減圧乾燥にてエタノールを濃縮することで、共重合体５を得た。GPCによる分子量測定の結果、重量平均分子量（Mw）＝２４９０９、数平均分子量（Mn）=１３２０９、多分散度（Mw/Mn）=１．８８６であった。【０１０１】
上記合成した共重合体５と、同量のエタノールを試験管に加え、ホットスターラーで６０℃に加熱し、スパーテルで１０分間手撹拌し、均一にした。さらに油性成分としてジカプリン酸ネオペンチルグリコールを撹拌しながら加え、さらに精製水を加え、３０分間手撹拌し、サンプルを調製した。共重合体５及びエタノールと、油性成分と、精製水とを様々な比率で混合し、得られた分散液の形状を目視にて確認した。白濁した溶液を乳化状態、試験管を倒置しても分散液が落下しない状態をゲル状態、乳液から油性成分が液吐きされたものを相分離と判断し、相図（図５）を作成した。【０１０２】
比較例１の共重合体５は、側鎖にポリエチレングリコール骨格を有する単量体単位５モル％と側鎖にメチル基に有する単量体単位９５モル％からなる共重合体であり、共重合体１、２等における分岐アルキル基を有する単量体単位を、側鎖にメチル基に有する単量体単位に置き換え、ポリエチレングリコール骨格を有する単量体単位の含有量を抑えた共重合体であるが、分離しやすい水中油滴型（Ｏ／Ｗ型）乳液、水中油滴型（Ｏ／Ｗ型）乳液、及び透明溶液の状態しかとらず、ゲルを形成しなかった。このことから、皮膚に塗布した液状組成物が皮膚上でゲルになり皮膚に粘着するためには、共重合体の側鎖に分岐アルキル基とともに適度なポリエチレングリコール骨格を有するこが必要であることが示された。【０１０３】
［ベタツキの評価］
下記表１に示す配合組成（処方）の液状物を、被験者に組成を開示せずに皮膚に適量塗布させ、ベタツキ感の評価を実施し、ベタツキがあると感じた順番を決定させた。【０１０４】
【表１】
2016204258.tif 000014
【０１０５】
側鎖に分岐アルキル基を有する単量体単位の含有比率が高い共重合体１を含む処方１が、最もベタツキがあると評価された。この処方１に、側鎖に直鎖アルキル基を有する単量体単位を含む共重合体３を配合した処方３と、処方２および処方４との比較から、側鎖に直鎖アルキル基を有する単量体単位を含む共重合体を配合すると、ベタツキが抑えられるという結果となった。【０１０６】
［タック試験］
ベタツキの尺度を、タック試験によって機械的に評価した。
下記表２に示す配合組成（処方）の液状組成物を作製し、前腕内側に２ｃｍ×２ｃｍの範囲に１０μＬ塗布した。塗布後、冷風で３分間乾燥させた。ハンディラブテスターのタック試験モードで測定し、接触子にはバイオスキンを貼付した。接触子を塗布部分に２秒間当てて、離す操作を１２回繰り返し、得られた応力の結果の平均を算出した。【０１０７】
【表２】
2016204258.tif 000015
【０１０８】
側鎖にポリエチレングリコール骨格を有する単量体単位と側鎖に分岐アルキル基を有する単量体単位を含む共重合体１に、側鎖に直鎖アルキル基を有する単量体単位を含む共重合体３を配合すると、引き剥がし応力が低下することが確認された。このことから、側鎖に直鎖アルキル基を有する共重合体はベタツキを抑えることが認められた。
【産業上の利用可能性】
【０１０９】
側鎖にポリアルキレングリコール骨格を有する単量体単位及び側鎖に分岐アルキル基を有する単量体単位を含む共重合体の分散液は、皮膚上で液状からゲル状へと変化し、皮膚に密着する材料である。また、かかる共重合体に側鎖に直鎖アルキル基を有する単量体をさらに共重合するか、或いは、側鎖に直鎖アルキル基を有する単量体単位を含む共重合体を組み合わせることにより、皮膚上のベタツキを抑えることができる。これら共重合体は、適宜保湿剤や有効成分を配合した化粧品、外用医薬品等の皮膚外用剤の基剤として、既存の基剤の課題点を解決する新しい基剤として有用である。【０１１０】
本出願は日本で出願された特願２０１５−１２４２８０を基礎としており、その内容は本明細書に全て包含される。
【図１】
2016204258.tif 000024
【図２】
2016204258.tif 000025
【図３】
2016204258.tif 000026
【図４】
2016204258.tif 000027
【図５】
2016204258.tif 000028
【国際調査報告】
2016204258.tif 000029
2016204258.tif 000030
2016204258.tif 000031
2016204258.tif 000032
2016204258.tif 000033